(57)【要約】【課題】厚みのある会葬返礼品や記念品等の商品も封入することができ、かつ、会葬礼状等の紙片を容易に装入することができる商品包装具を提供する。【解決手段】１枚の紙を縦方向の縦折り線４に沿って少なくとも３つ折りで折り合わせることにより上部と下部に形成される商品封入口７と、折り合わせによって形成される端の１片をさらに縦折り線４と同じ縦方向の表書き折り線５に沿って少なくとも４つ折りで折り合わせることにより形成され、会葬礼状等の紙片を装入するためのポケットとなる礼状装入部２とを備え、縦折り線４および表書き折り線５と垂直に交差する横方向の横折り線６に沿って折り合わせて商品封入口７を対向させてなることを特徴とする。【選択図】図４
0003207794.tif 000002
【実用新案登録請求の範囲】
【請求項１】
１枚の紙を縦又は横方向の第１折り線に沿って少なくとも３つ折りで折り合わせることにより両端部に形成される商品封入口と、
折り合わせによって形成される端の１片をさらに前記第１折り線と同じ縦又は横方向の第２折り線に沿って少なくとも４つ折りで折り合わせることにより形成され、礼状等の紙片を装入するためのポケットとなる礼状装入部とを備え、
前記第１折り線および第２折り線と垂直に交差する横又は縦方向の第３折り線に沿って折り合わせて商品封入口を対向させている
ことを特徴とする商品包装具。
【請求項２】
前記第２折り線のうち、前記第１折り線の隣に位置する第２折り線は、山折りおよび谷折りの折り方向が前記第１折り線と異なり、その他の第２折り線は前記第１折り線と折り方向が同じである
ことを特徴とする請求項１記載の商品包装具。
【請求項３】
前記第２折り線のそれぞれの間隔を異ならせて、表書きを記載するに足る幅の表書き部が商品包装具の正面に形成されている
ことを特徴とする請求項１または２記載の商品包装具。
【請求項４】
一方の商品封入口に、他方の商品封入口が閉じた状態で挿入されている
ことを特徴とする請求項１〜３のいずれか１項に記載の商品包装具。
【考案の詳細な説明】
【技術分野】
【０００１】
本考案は、会葬礼状等の紙片と会葬返礼品や記念品等の商品を包装するための商品包装具に関する。
【背景技術】
【０００２】
通夜又は告別式の場所において、参列者へ会葬礼状や会葬返礼品を手渡すことが行われている。会葬返礼品としては、繊維製品、雑貨、食料品等の比較的軽くて嵩張らない商品が好まれている。会葬礼状と会葬返礼品とを一緒に包装することができる会葬返礼品包装具について種々の提案がなされている。例えば、特許文献１では、二つ折りないし三つ折りの台紙の内側に係止部を形成し、係止部に挨拶状や商品券等の薄片状の装入物を係止してなる会葬礼状が開示されている。
【先行技術文献】
【特許文献】
【０００３】
【特許文献１】実開平５−２４３８１号公報
【考案の概要】
【考案が解決しようとする課題】
【０００４】
しかしながら、上記特許文献１の会葬礼状では、カードや商品券等の薄片状の商品しか装入することができず、会葬返礼品として採用されることが多い繊維製品、雑貨、食料品等の少し厚みのある商品を封入することができないという問題がある。また、係止部を形成する手間だけでなく、各係止部に商品を装入する手間もかかるという問題もある。
【０００５】
そこで、本考案は、このような問題に鑑みなされたものであり、厚みのある商品も封入することができ、かつ、会葬礼状等の紙片を容易に装入することができる商品包装具を提供することを目的とする。
【課題を解決するための手段】
【０００６】
上記課題を解決するために、本考案に係る商品包装具は、１枚の紙を縦又は横方向の第１折り線に沿って少なくとも３つ折りで折り合わせることにより両端部に形成される商品封入口と、折り合わせによって形成される端の１片をさらに前記第１折り線と同じ縦又は横方向の第２折り線に沿って少なくとも４つ折りで折り合わせることにより形成され、礼状等の紙片を装入するためのポケットとなる礼状装入部とを備え、前記第１折り線および第２折り線と垂直に交差する横又は縦方向の第３折り線に沿って折り合わせて商品封入口を対向させていることを特徴とする。
【０００７】
ここで、前記第２折り線のうち、前記第１折り線の隣に位置する第２折り線は、山折りおよび谷折りの折り方向が前記第１折り線と異なり、その他の第２折り線は前記第１折り線と折り方向が同じであるとするのが好ましい。
【０００８】
また、前記第２折り線のそれぞれの間隔を異ならせて、表書きを記載するに足る幅の表書き部が商品包装具の正面に形成されているのが好ましい。
【０００９】
さらに、一方の商品封入口に、他方の商品封入口が閉じた状態で挿入されているのが好ましい。
【００１０】
これによれば、１枚の紙を縦折り線に沿って３つ折りして商品封入口を形成し、３つ折りした１片をさらに縦方向の折り線に沿って折ることで表書き部と礼状装入部とを形成し、最後に横方向の折り線に沿って折り合わせるので、厚みのある会葬返礼品等の商品を封入することができ、会葬礼状等の紙片の装入も簡単な商品包装具が実現される。また、紙を折り畳むことで構成されるので容易に製造可能である。
【考案の効果】
【００１１】
以上のように、本考案に係る商品包装具によれば、折り畳むことで簡単に作ることができ、厚みのある会葬返礼品等の商品を封入することができ、会葬礼状等の紙片も簡単に装入することができる。
【図面の簡単な説明】
【００１２】
【図１】商品包装具の正面図である。
【図２】商品包装具の展開図である。
【図３】商品包装具の封入口を示す図である。
【図４】商品包装具の斜視図である。
【考案を実施するための形態】
【００１３】
以下、本考案の実施形態について図面を参照しながら説明する。
【００１４】
図１は商品包装具の正面図であり、図２は展開図、図３は封入口を示す図であり、図４は側方から見た斜視図である。
【００１５】
本実施形態の商品包装具１は、会葬礼状等の紙片と会葬返礼品等の商品とを一緒に収容可能な紙製の袋体であり、１枚の大判の紙を折って礼状装入部２、表書き部３および商品封入口７を形成してなる。
【００１６】
礼状装入部２は、会葬礼状やメッセージカード等の紙片である礼状８を装入するためのポケット部であり、商品包装具１の正面に形成される。
【００１７】
表書き部３は、表書き等が記載される平面部であり、礼状装入部２と同様に商品包装具１の正面に形成され、表書きを記載するに足る幅（例えば、３ｃｍ以上）を有している。
【００１８】
商品封入口７は、会葬返礼品や記念品等（例えば、繊維製品、雑貨や食料品等）の商品を封入するための開口部であり、商品包装具１を構成する１枚の紙を縦に３つ折りして両端部、ここでは上部と下部が開口した袋体とすることで形成される。
【００１９】
図２の展開図に示すように、商品包装具１は、１枚の紙を縦方向の縦折り線４で略均等に３つ折りし、３つ折りした１片をさらに縦方向の表書き折り線５で４つ折りにし、最後に横方向の横折り線６で折り合わせることで形成される。縦折り線４も横折り線６の折り方向（山折り・谷折り）はいずれも同一方向である。表書き折り線５は、縦折り線４の隣の一本だけが折り方向が異なり、その他の表書き折り線５の折り方向は縦折り線４および横折り線６と同一方向となっている。また、表書き折り線５のそれぞれの間隔は異なっており、縦折り線４に近い側の表書き折り線５の間隔は狭く、縦折り線４に遠い側、すなわち、端側の表書き折り線５の間隔は広くなっている。これは、表書き折り線５によって形成される端の１片は礼状装入部２となるポケット部を形成するので、このポケット部の深みを持たせるためである。また、その隣の１片は表書き部３として表書きを記載するスペースを確保すべく他の片よりも幅を持たせるためである。
【００２０】
縦折り線４と表書き折り線５とを折り合わせると、図３に示すように、商品包装具１は上部と下部が開口した袋体となり、商品封入口７が形成される。この商品封入口７から厚みのある商品が封入できるよう一定の膨らみを与えるべく、縦折り線４の位置が設定されている。この商品封入口７は、横方向の横折り線６で折り合わせることによって互いに対向することとなり、開口部が閉じられることになる。このとき、開いた状態の一方（例えば上部）の商品封入口７に他方（下部）の商品封入口７を閉じた状態で挿入するようにすれば、包装が解かれにくくなり良好である。
【００２１】
このように構成された商品包装具によれば、１枚の紙を縦折り線に沿って３つ折りして商品封入口を形成し、３つ折りした１片をさらに縦方向の折り線に沿って折ることで表書き部と礼状装入部とを形成し、最後に横方向の折り線に沿って折り合わせて商品封入口を対向させて開口部を閉じるので、厚みのある会葬返礼品等の商品を封入することができ、会葬礼状等の紙片の装入も簡単な商品包装具が実現される。また、紙を折り畳むことで構成されるので容易に製造可能である。
【００２２】
以上、本考案に係る商品包装具について、実施の形態に基づいて説明したが本考案はこれに限定されるものではなく、本考案の目的を達成でき、かつ考案の要旨を逸脱しない範囲内で種々設計変更が可能であり、それらも全て本考案の範囲内に包含されるものである。
【００２３】
例えば、上記実施の形態で示した折り線の数や位置、折り方向は例示であり、これに限定されるものではない。また、縦横を反対にして横方向に礼状装入部となるポケット部を形成するとしてもよい。
【産業上の利用可能性】
【００２４】
本考案は、会葬礼状等の紙片や会葬返礼品や記念品等の商品を包装するための商品包装具として有用である。
【符号の説明】
【００２５】
１  商品包装具
２  礼状装入部
３  表書き部
４  縦折り線
５  表書き折り線
６  横折り線
７  商品封入口
８  礼状
【図１】
0003207794.tif 000003
【図２】
0003207794.tif 000004
【図３】
0003207794.tif 000005
【図４】
0003207794.tif 000006